(57)【要約】      （修正有）【課題】植生緑化装置に十分な水を供給することにより供給水自体による冷却効果を十分に得ることができるとともに、供給水を循環可能として供給水を効率的に再利用し、コスト削減及び環境への負荷を減らすこと。【解決手段】培養土を充填可能な繊維状の植生マット２４、供給水が浸潤可能な保水マット２６、植生マット２４に植生される植物の根の突出を抑えるための保護マット２８が備えられ、保水マット２６は、植生マット２４の裏側に全面に渡って配設されている。各植生緑化装置の上下には、保水マット２６の上端部３０及び下端部３２が各々収容されるとともに給水源から供給水が供給可能な通水樋２２が配設され、通水樋２２には、給水源に接続される供給パイプが接続され、最下段の通水部２２ｚには、余剰供給水を回収して供給パイプに余剰供給水を供給可能な回収パイプが接続されている。【選択図】図２
2007195481.tif 000002
【特許請求の範囲】
【請求項１】
培養土を充填可能な繊維状の植生マットが第一層に備えられ、
供給水が浸潤可能な保水マットが第二層に備えられ、
前記植生マットに植生される植物の根の突出を抑えるための保護マットが第三層に備えられて、建築物の壁面等の設置面の緑化を行う植生緑化装置であって、
前記保水マットは、前記植生マットの裏側に全面に渡って配設されるとともに、前記植生マットの上下方向にそれぞれ突出して延設される上端部及び下端部が、前記保水マット上下に各々備えられていることを特徴とする植生緑化装置。
【請求項２】
少なくとも上下方向において請求項１に記載の前記植生緑化装置が複数個以上組み合わされた植生緑化システムであって、各植生緑化装置の上下には、前記植生緑化装置の保水マットの上端部及び下端部が各々収容されるとともに給水源から供給水が供給可能な通水部が配設され、前記通水部のうちの少なくとも最上段の通水部には、前記給水源に接続される供給パイプが接続され、前記通水樋うちの少なくとも最下段の通水部には、余剰供給水を回収して前記供給パイプに余剰供給水を供給可能な回収パイプが接続されたことを特徴とする植生緑化システム。
【請求項３】
前記通水部は、上部が開放された断面円弧状の樋状に形成されるとともに、各植生緑化装置の保水マットの上端部及び下端部の全幅に渡って収容可能に設けられたことを特徴とする請求項２に記載の植生緑化システム。  
【請求項４】
前記給水源からの供給水の供給を制御するタイマーが設けられたことを特徴とする請求項２または請求項３に記載の植生緑化システム。
【請求項５】
前記回収パイプ内に、回収した余剰水の水量または水位を検知可能なセンサーを配設したことを特徴とする請求項２から請求項４までのいずれかに記載の植生緑化システム。
【発明の詳細な説明】
【技術分野】
【０００１】
本発明は、建築物の壁面などの設置面の緑化を行うための植生緑化装置に関する。
【背景技術】
【０００２】
従来、建築物の壁面などの緑化を行うために植物を植生して設置面に固定する植生緑化装置が種々知られている。例えば、図６及び図７に示す植生緑化装置４０は、底面に多数の排水孔を開けた薄型の植裁トレー４２の内部に、網状成形マット４３を固定し、この網状成形マット４３の空隙に用土４４を充填して植物４５を栽培した植裁トレー４２を垂直に立て、その下部には貯水槽４６を設置し、植裁トレー４２と貯水槽４６とを吸水シート４７で連結することにより、毛細管現象により貯水槽４６の水を植裁トレー４２の植物に供給するものである（例えば、特許文献１参照。）。また、図８に示す植生緑化装置５０は、パイプ５２により散水を行い給水シート５４に水分を補給するものである（例えば、特許文献２参照。）。
【０００３】
【特許文献１】実用新案登録第３０６４４３５号公報（図２、図６）
【特許文献２】特開２００３−１８９７３４号公報（図２）
【発明の開示】
【発明が解決しようとする課題】
【０００４】
しかしながら、上記した第一の従来の植生緑化装置４０では、植裁トレー４２下方の貯水槽４６から吸水シート４７を経て吸い上げられる水の高さには限界があるため、植裁トレー４２の高さが限られてしまい、通常その高さは約３０センチメートル以下とする必要があった。そして、吸水シート４７により吸い上げられた水は、植裁された植物４５により吸収されるほか自然蒸発し、特に植裁トレー４２の上部においては上記したように水が十分には吸い上げられずに乾いた状態のままとなりやすいため、植生された植物４５による植裁トレー４２設置面に対する冷却効果は見込めるとしても、十分な量が供給された水による冷却効果までを奏するものではなかった。
【０００５】
また、上記した第二の従来の植生緑化装置５０では、ある程度の量の水を給水シート５４に供給することができるもののパイプ５２近傍の部位の給水シート５４に集中的に供給されるものであり、給水シート５４全体すなわち装置５０全体に均一に供給水を行き渡らせることは困難である。また、装置５０全体への均一な水の供給が困難であり、装置５０の一部には供給水が不足する一方、装置５０の他の部位では供給水が過剰となり装置５０下方に水が流れ出して無駄になり、植物に十分に水を供給しながら供給水を効率的に利用することが困難となっていた。
【０００６】
本発明は上記した従来の植生緑化装置や植生緑化システムの問題点を解消するものであり、植生緑化装置に十分な水を供給することにより供給水自体による冷却効果を十分に得ることができるとともに、供給水を循環可能として供給水を効率的に再利用し、コスト削減及び環境への負荷を減らすことのできる植生緑化装置及び植生緑化システムを提供することを目的とする。
【課題を解決するための手段】
【０００７】
以上の課題を解決するために本発明の採った手段を以下に説明する。本発明の植生緑化装置は、培養土を充填可能な繊維状の植生マットが第一層に備えられ、供給水が浸潤可能な保水マットが第二層に備えられ、前記植生マットに植生される植物の根の突出を抑えるための保護マットが第三層に備えられて、建築物の壁面等の設置面の緑化を行う植生緑化装置であって、前記保水マットは、前記植生マットの裏側に全面に渡って配設されるとともに、前記植生マットの上下方向にそれぞれ突出して延設される上端部及び下端部が、前記保水マット上下に各々備えられていることを特徴とするものである（請求項１）。
【０００８】
保水マットの上下には、植生マットよりも上下にそれぞれ突出して延設される上端部及び下端部を設けている。この上端部に供給水を浸潤させて、保水マット上部から下部にかけて供給水を浸潤させることができる。そしてさらに、保水マットを植生マットの裏側に全面に渡って配設しているので、植物が植生される植生マット全体に十分に水を供給することができる。よって、植生された植物による冷却効果に加えて、保水マット全体に十分に供給される水自体によって、さらに設置面に対する冷却効果を奏することができる。
【０００９】
また、保水マットに供給された供給水のうちの余剰分については、保水マット下部の下端部から下方に滴下させることができ、この余剰水を回収して再度植生緑化装置上方から供給水として供給することが可能である。また、上記した植生緑化装置を上下に多数設置する場合には、この余剰水を、下方に配設する別の植生緑化装置への供給水として順次利用することもできる。
【００１０】
また、このような植生緑化装置を複数個以上利用して植生緑化システムとして利用するものとして、少なくとも上下方向において請求項１に記載の前記植生緑化装置が複数個以上組み合わされた植生緑化システムであって、各植生緑化装置の上下には、前記植生緑化装置の保水マットの上端部及び下端部が各々収容されるとともに給水源から供給水が供給可能な通水部が配設され、前記通水部のうちの少なくとも最上段の通水部には、前記給水源に接続される供給パイプが接続され、前記通水樋のうちの少なくとも最下段の通水部には、余剰供給水を回収して前記供給パイプに余剰供給水を供給可能な回収パイプが接続されたことを特徴とする植生緑化システム（請求項２）とすることもできる。
【００１１】
上記した植生緑化装置をこのように少なくとも上下方向に複数個以上組み合わせるとともに、それぞれの植生緑化装置の上下に通水部を配設する。各植生緑化装置には、給水源から少なくとも最上段の通水部に供給水が供給され、上記した保水マットの上端部を介して保水マットに十分な供給水が供給される。また、上記したように、二段目の植生緑化装置の上方に配設された通水部内には、最上段の植生緑化装置の保水マットの下端部、及び二段目の植生緑化装置の保水マットの上端部が収容されることになる。そして、最上段の植生緑化装置の保水マット下端部から、最上段の植生緑化装置における余剰水が二段目の通水部に滴下されて、二段目の植生緑化装置の保水マットの上端部に対して供給水として供給される。このようにして順次下方の植生緑化装置に対して上方の植生緑化装置からの余剰水が通水部内に供給水として供給されることになる。そして、最下段の通水部に滴下された余剰水は、回収パイプにより回収されて、必要に応じて給水源からの水を補充しつつ、再度、供給パイプから各植生緑化装置に供給される。
【００１２】
例えば、従来、ホースにより散水して植生緑化装置に植生された植物に水を与える場合には、植生緑化システム外に水がこぼれてしまい、水が無駄になっていたが、上記の植生緑化システムでは、供給水は、供給パイプ、各通水部及び回収パイプにより確実に各植生緑化装置に供給され、さらに余剰水も確実に再利用されるので、水資源を無駄にすることがない。
【００１３】
この植生緑化システムを構成する各植生緑化装置は、少なくとも上下に複数個以上組み合わされるものであり、縦一列に組み合わされるものの他、横方向にも複数以上組み合わされるものでも良い。また、供給パイプは少なくとも最上段の通水部に供給水を供給するように接続されているものであり、最上段の通水部にのみ接続されているものの他、必要に応じて他の通水部にも直接接続されるように設けても良い。また同様に、回収パイプは少なくとも最下段の通水部から余剰水を回収するように接続されているものであり、最下段の通水部にのみ接続されているものの他、必要に応じて他の通水部にも直接接続されるように設けても良い。  
【００１４】
また、前記通水部は、上部が開放された断面円弧状の樋状に形成されるとともに、各植生緑化装置の保水マットの上端部及び下端部の全幅に渡って収容可能に設けられたことを特徴とする請求項２に記載の植生緑化システム（請求項３）とすることもできる。
【００１５】
通水部を樋状に形成するとともに、保水マットの上端部を全幅に渡って収容可能に設けることにより、保水マットの上端部の全幅に渡って供給水を浸潤させることができ、下方に向けて保水マット全体に均一に水を供給することができる。また、下端部を全幅に渡って通水部に収容可能に設けることにより、保水マットの余剰水を全て下方の植生緑化装置に無駄なく供給可能に構成することができる。また、保水マットに水を供給し、滴下される余剰水を回収するための通水部を簡便に構成することができる。
【００１６】
また、前記給水源からの供給水の供給を制御するタイマーが設けられたことを特徴とする請求項２または請求項３に記載の植生緑化システム（請求項４）とすることもできる。
【００１７】
供給水の供給を制御するタイマーを設けることにより、一定時間の経過後に自動的に供給水を補充することができる。
【００１８】
また、前記回収パイプ内に、回収した余剰水の水量または水位を検知可能なセンサーを配設したことを特徴とする請求項２から請求項４までのいずれかに記載の植生緑化システム（請求項５）とすることもできる。      
【００１９】
このようなセンサーを配設することにより、余剰水の量を自動的に検知するとともに給水源からの供給水を制御して、植生緑化システムへの供給水の適切な供給量を自動的に制御することが可能となる。
【発明の効果】
【００２０】
上記した本発明の植生緑化装置または植生緑化システムでは、植生緑化装置に十分な量で、かつ均一に水を供給することができるので、冷却効果を十分に奏することが可能である。また、余剰水を再利用することにより、水資源を無駄にすることがない。また、特に請求項３の植生緑化システムでは、保水マットに水を供給する通水部を簡便に構成し、その製造コストを低減させることもできる。また、特に請求項４または請求項５に記載の植生緑化システムでは、植生緑化システムのメンテナンスをより簡便にすることもできる。
【発明を実施するための最良の形態】
【００２１】
次に、本発明の植生緑化装置の実施の形態を図を参考にして詳細に説明する。図１に示すように、本発明の植生緑化装置２０はビルなどの建築物の壁面などの設置面Ａに設置され、その本体２１に植物を植生するものである。本例では、設置面Ａはビルの側壁面である。
【００２２】
植生緑化装置２０の本体２１は、縦およそ１００ｃｍ、横およそ９０ｃｍ、厚みおよそ３ｃｍの肉薄の板状に全体が形成されている。そして、このような植生緑化装置２０の本体２１を多数上下左右につなぎ合わせるとともに、これらの植生緑化装置２０の上下および各植生緑化装置２０間に通水樋２２（本発明の「通水部」の一例）を配置して、設置面Ａの大部分を被覆することとしている。図３に示すように、本例では、縦に７つ横に５つの植生緑化装置２０をつなぎ合わせて植生緑化システム１を組み立てている。
【００２３】
図３に示すように、植生緑化装置２０は、これらの多数の植生緑化装置２０に供給水を供給するための植生緑化システム１に組み込まれている。植生緑化システム１には、給水源２と、給水源２に接続された供給パイプ３と、回収パイプ４と、給水源２に取り付けられたタイマー５とが備えられている。また、回収パイプ４には、余剰水を供給パイプ３へと汲み上げるポンプ６が設けられている。給水源２に接続された供給パイプ３は、設置された多数の植生緑化装置２０の上下に配設される通水樋２２（後述する最下段の通水樋２２ｚを除く）へと接続されており、回収パイプ４は、最下段の植生緑化装置２０の下方に配設される通水樋２２ｚへと接続されている。タイマー５は、給水源２からの水の供給を定期的に行わせるものであり、気温や天候などに応じて設定された所定の時間に供給を行うように、給水源２の開閉動作を行わせる。
【００２４】
次いで、植生緑化装置２０について詳細に説明する。図２に示すように、植生緑化装置２０の本体２１には、植生マット２４と、保水マット２６と、保護マット２８とが備えられており、表面から植生マット２４、保水マット２６、保護マット２８の順に積層されている。植生緑化装置２０の本体２１は、上記したように肉薄の箱形状に形成されている。
【００２５】
植生マット２４は、縦約１００ｃｍ、横約９０ｃｍ、厚さ約２ｃｍの肉薄のシート状に形成されている。この植生マット２４は、例えば、繊度が１００〜５０００ｄ／ｆであり、捲縮状とされた熱融着性複合繊維を４０重量％以上含み、この熱融着性複合繊維の融着により繊維同士の接点が固定された繊維マットであって、密度が０．０２〜０．１５ｇ／ｃｍ3、厚みが１．５〜１５ｃｍ、繰り返し圧縮回復率が８０％以上であるものを用いることができる。本例では、チッソ（株）製の「ＣＰマット」（商標）を用いた。「ＣＰマット」品番ＲＭ−６２（嵩４０ｃｃ／ｇ、空隙率９７．４％、繊維径２１６μ）、ＲＭ−６３（嵩２０ｃｃ／ｇ、空隙率９４．５％、繊維径２７９μ）、ＲＭ−６６（嵩２５ｃｃ／ｇ、空隙率９５．６％、繊維径３４２μ）、ＲＭ−７３（嵩４０ｃｃ／ｇ、空隙率９７．４％、繊維径３９４μ）、ＲＭ−７４（嵩２０ｃｃ／ｇ、空隙率９４．５％、繊維径６２４μ）、その他ＲＭ−６６、ＲＭ−７７、ＲＭ−７２、ＲＭ−１０１などを用いることができる。しかしながら、これら以外の他の繊維マットを用いることも可能である。
【００２６】
保水マット２６は、吸水性繊維単体、あるいは他の繊維、例えばポリエステル繊維、ポリアミド繊維、アクリル繊維、ポリプロピレン繊維等の合成繊維と混合された不織布で構成されている。また、保水マット２６の厚さは、本例では約２ｍｍとされているが、１〜５０ｍｍの範囲とすることが望ましい。１ｍｍ未満では植物への吸水能力及び保水能力が不足する一方、５０ｍｍを越えると緑化構造体の厚みが増し、コストの観点から好ましくないためである。また、水分補給の観点から不織布の中に吸水性繊維を２０重量％以上含ませることが望ましい。これは、吸水性繊維の重量が２０％以下になると、植物を枯らさないためにシート全体の目付を大きくしなければならず、全体の厚みが増して枠体のコストが高くなるからである。したがって、吸水性繊維を３０〜５０重量％含ませるのがより望ましい。望ましい吸水性繊維としては、例えば架橋アクリル酸ナトリウム系繊維、アクリル繊維を後加工によりその表面を加水分解させた合成繊維、レーヨン系、親水化処理されたポリエステル、ポリプロピレン繊維、コットン、椰子、麻等の吸水性繊維を用いることができる。また、保水マット２６は、水分を吸収できる材料で構成されていればよく、不織布以外に、例えば、発泡シート等の吸水性のある多孔質体で構成することもできる。
【００２７】
また、保水マット２６は、横の長さが約９０ｃｍに設けられる一方、縦の長さは植生マット２４の縦方向の長さよりも若干長く、約１１０ｃｍに設けられ、その上下端部３０，３２が、植生マット２４の上下端部よりもそれぞれ突出するように設けられている。保水マット２６の上端部３０は、図４及び図５に示されるように、植生緑化装置２０本体２１の上方に配置される通水樋２２内に収容されるように、その先端部が下方に向けて湾曲した半円形状にされている。一方、下端部３２は、植生緑化装置２０の本体２１の下方に配置される通水樋２２内に収容されるように、そのまま下方へと延設されている。上方の通水樋２２から保水マット２６の上端部３０に吸収された水は、保水マット２６の本体２７を通じて下方へと浸潤し、さらに余分な水分は下端部３２から、下方の通水樋２２に滴下されるように構成されている。
【００２８】
保護マット２８は、例えば目の細かい織物や、ポリエステル繊維からなるスパンボンド等の不織布で構成され、植物の根が設置面Ａ側へ侵入するのを防止するとともに、根が設置面Ａに沿う方向に広がるようにするために設けられている。保護マット２８は、縦約１００ｃｍ、横約９０ｃｍ、厚さ約１ｍｍの肉薄のシート状に形成されている。
【００２９】
本植生緑化装置２０は、このような植生マット２４、保水マット２６及び保護マット２８を箱形のプラスチックケース３４に収納して使用する。プラスチックケース３４は、植生緑化装置２０が収容できる大きさに形成されるとともに、その上下からは保水マット２６の上端部３０及び下端部３２とを突出させることのできる開口部３６，３７を備えている。
【００３０】
この植生緑化装置２０の本体２１に植物を植生するには、まず最初に植生マット２４に園芸用培養土を充填し、さらに植生マット２４内に植物の種子を撒く。このようにした多数の植生緑化装置２０について農場内などにおいて植物を育成させる。植物の成長に伴って根が植生マット２４に絡み付き、本体２１を縦向きに立てた場合などでも植物が落下しないようにすることができる。本例では、上記したように植生マット２４の厚さを約２ｃｍに抑えており、これらに充填する培養土の量を低減させ、植生緑化システム１全体の重量を軽減させることができ、設置面Ａへの負荷を減らしている。よって、一定以上の重量に耐えることのできない設置面Ａであっても、補強などを要せず植生緑化を容易に実現することができる。
【００３１】
このように構成された植生緑化装置２０では、従来壁面緑化に用いられていた芝、苔、ツタ類以外の植物を広く含む種々の植物を植生することが可能であり、例えば、シロツメ草、レンゲ、ツルマサキ、ヘチマ、ヒルガオ、チガヤ、エノコロ草なども植生することができる。
【００３２】
また、本例では上記したように、このように構成された植生緑化装置２０の本体２１を縦７つ×横５つを配置して全体の植生緑化システム１を構成している。そして、このように配置された植生緑化システム１の各植生緑化装置２０の本体２１上下には通水樋２２が横方向に沿ってそれぞれ配設されている。なお、各本体２１間においては、上下に並ぶ各本体２１において通水樋２２を共用している。このように多数の植生緑化装置２０によって植生緑化システム１を構成することにより、一部の植生緑化装置２０に問題が生じた場合などには、その一部の植生緑化装置２０を取り替えるだけで全体のメンテナンスを完了することができる。
【００３３】
植生緑化装置２０の上下には通水樋２２が上下に備えられている。各通水樋２２は、上部が開放された断面半円形状の樋状に形成されている。上記したように最下段の通水樋２２ｚを除く通水樋２２は供給パイプ３に接続されており、給水源２からの供給水が供給される。これらの通水樋２２のうち最上段の通水樋２２ａには、下方の植生緑化装置２０から延設されるとともにその先端が半円状に湾曲された保水マット２６の上端部３０が収容され、通水樋２２ａ内の供給水に浸されている。そして、この保水マット２６の下端部３２の先端は、最上段の植生緑化装置２０の本体２１の直下に配設されている２段目の通水樋２２ｂ内に収容されている。そして、上から２段目の植生緑化装置２０の保水マット２６の上端部３０が、同様に上から２段目の通水樋２２ｂ内に収容されており、以下、下方に向かって同様に通水樋２２及び植生緑化装置２０の本体２１が設置されている。そして、最下段の通水樋２２ｚには、最下段の植生緑化装置２０の保水マット２６の下端部３２が収容されている。最下段の通水樋２２ｚは、上記したように回収パイプ４に接続されている。
【００３４】
このようにして構成された植生緑化システム１は、給水源２から供給された供給水が、供給パイプ３を通じて、最下段の通水樋２２ｚを除く通水樋２２ａ、２２ｂ…に供給される。それぞれの通水樋２２ａ、２２ｂ…内の供給水には保水マット２６が浸されており、供給水はその上端部３０から保水マット２６下方に浸潤していく。下端部３２にまで至った余剰の供給水は、下方の通水樋２２内に滴下される。以降、余剰供給水は、保水マット２６を通じて順次下方の通水樋２２へ供給される。そして、最下段の通水樋２２ｚに至った余剰の供給水は、回収パイプ４内に流下される。回収パイプ４内を流下されポンプ６に至った供給水は、給水源２から適宜供給水が補充されて再度供給パイプ３内に供給され、以降、順次これを繰り返す。また、給水源２からは、タイマー５の制御によって所定時間の経過毎に一定量の供給水が供給パイプ３内に放出されるように構成されており、植生緑化システム１に対して適切な量の供給水を適宜に供給できるように構成されている。このようにして、頻繁な供給水の補給作業を省略させることにより、本植生緑化システム１のメンテナンス性を向上させている。
【００３５】
この植生緑化装置２０によれば、給水源２、供給パイプ３、各通水樋２２を通じて各植生緑化装置２０に供給水が十分に供給され、さらに回収パイプ４及びポンプ６によって、植生緑化システム１において余剰水を循環させることができる。このように、保水マット２６全体に供給水が十分に行き渡り、各植生緑化装置２０内を供給水が流通する構成となっているため、植生された植物による冷却効果に加えて、供給水自体による設置面Ａへの十分な冷却効果を得ることができる。
【００３６】
また、保水マット２６の上端部３０全体が供給水に浸されており、上端部３０全体から下方の保水マット２６の本体２７に向かって供給水が浸潤していくので、上端部３０全体に渡って均一に、かつ十分に供給水を浸すことができる。よって、さらに冷却効果を高めることができる。
【００３７】
また、通水樋２２を、その上部が開放された形状に設けたので、屋外に設置する植生緑化システム１の場合には、雨天時に通水樋２２内に落下した雨水を供給水として利用することができ、自然資源を利用することにより省コストを図ることができる。
【００３８】
本発明は上記した実施の形態に限られることはなく、本発明の範囲内でその構成を種々変更することが可能である。例えば、上記例では、通水樋２２を上部が開放されたものとして通水樋２２内に保水マット２６の上端部３０を直接浸潤させるものとしたが、請求項１又は請求項２の発明においてはこれに限られず、例えば、保水マット２６の上端部及び下端部をパイプ状のパイプのスリット内に挟持させて、保水マット２６に水を供給することもできる。
【００３９】
また、請求項５の発明では、最下段の通水樋２２ｚや回収パイプ４内に水位センサーなどを設けることにより、余剰水の量を判断して植生緑化システム１の適切な水供給量を判別することができる。よって、このように構成することにより、水資源の利用を少なくすることができる。
【００４０】
また、上記した例では、最下段の通水樋２２ｚを除く全ての通水樋２２に給水源２からの供給水を直接供給することとしたが、本発明の植生緑化システムにおいては、少なくとも最上段の通水樋に供給パイプが接続されているものとすれば良く、例えば、２，３段など縦に多数の植生緑化装置２０を配設しない植生緑化システムなどでは、最上段の通水樋にのみ給水源から供給水を供給することとしても、下方の植生緑化装置２０にも十分な供給水を供給することができる。  
【図面の簡単な説明】
【００４１】
【図１】本発明の植生緑化装置の斜視図である。
【図２】図１の植生緑化装置の分解斜視図である。
【図３】図１の植生緑化装置を用いて構成した植生緑化システムの斜視図である。
【図４】植生緑化システムの一部分解斜視図である。
【図５】植生緑化システムの一部断面図である。
【図６】第一の従来の植生緑化装置の正面図である。
【図７】第一の従来の植生緑化装置の側面視縦断面図ある。
【図８】第二の従来の植生緑化装置の横断面図である。
【符号の説明】
【００４２】
１；植生緑化システム、２；給水源、３；供給パイプ、４；回収パイプ、５；タイマー、６；ポンプ、２０；植生緑化装置、２１；本体、２２；通水樋、２４；植生マット、２６；保水マット、２７；本体、２８；保護マット、３０；上端部、３２；下端部、３４；プラスチックケース、３６，３７；開口部、４０；植生緑化装置、４２；植裁トレー、４３；網状成形マット、４４；用土、４５；植物、４６；貯水槽、４７；吸水シート、５０；植生緑化装置、５２；パイプ、５４；給水シート、Ａ；設置面
【図１】
2007195481.tif 000003
【図２】
2007195481.tif 000004
【図３】
2007195481.tif 000005
【図４】
2007195481.tif 000006
【図５】
2007195481.tif 000007
【図６】
2007195481.tif 000008
【図７】
2007195481.tif 000009
【図８】
2007195481.tif 000010